(57)【要約】      （修正有）【課題】枠部材が板部材から外れることを防ぐことができ、製造に手間がかからない冷蔵庫を提供する。【解決手段】実施形態の冷蔵庫は、平板状の板部材２０と、前記板部材２０の少なくとも一辺に設けられた枠部材３０とを備える載置棚２であって、前記板部材２０に形成された係合形状部２３と、前記枠部材３０に形成された係合形状部とが係合して前記枠部材３０が前記板部材２０に設けられている載置棚を備える。【選択図】図４
2015158283.tif 000002
【特許請求の範囲】
【請求項１】
平板状の板部材と、前記板部材の少なくとも一辺に設けられた枠部材とを備える載置棚であって、前記板部材に形成された係合形状部と、前記枠部材に形成された係合形状部とが係合して前記枠部材が前記板部材に設けられている載置棚を備える冷蔵庫。
【請求項２】
前記板部材に形成された係合形状部の形状は、前記板部材の辺を切り欠いた形状である、請求項１の冷蔵庫。
【請求項３】
前記板部材の辺の切り欠き形状はＵ字形である、請求項２の冷蔵庫。
【請求項４】
前記枠部材が弾性変形することにより、前記枠部材の係合形状部が、前記板部材の係合形状部に係合する、請求項１〜３のいずれか１項の冷蔵庫。
【請求項５】
前記枠部材に、前記板部材の辺に沿って伸びる補強部材が設けられている、請求項１〜４のいずれか１項の冷蔵庫。
【請求項６】
前記枠部材は、前記板部材の一辺の一端側から他端側まで伸びる主枠部と、前記主枠部の両端側の部分から、前記一辺と交わる辺に沿って伸びる補助枠部とを備え、前記補助枠部に前記係合形状部が形成されている、請求項１〜５のいずれか１項の冷蔵庫。
【請求項７】
前記枠部材は、前記板部材を上下から挟む形状であり、前記枠部材の係合形状部と、前記板部材の係合形状部との係合部を、上下から覆う、請求項１〜６のいずれか１項の冷蔵庫。
【請求項８】
前記冷蔵庫内の側壁に前記載置棚を支持する凸部が設けられ、前記枠部材が前記凸部に固定される、請求項１〜７のいずれか１項の冷蔵庫。
【請求項９】
前記枠部材は、前記板部材の冷蔵庫前方の部分にのみ設けられている、請求項１〜８のいずれか１項の冷蔵庫。
【請求項１０】
前記板部材は平面視で、冷蔵庫後側の角部が切り取られ、冷蔵庫前側の角部が、切り取られていないか、冷蔵庫後側の角部よりも小さく切り取られている、請求項９の冷蔵庫。
【発明の詳細な説明】
【技術分野】
【０００１】
本発明の実施形態は、冷蔵庫に関する。
【背景技術】
【０００２】
冷蔵庫の載置棚には、板部材と、該板部材の辺を覆う枠部材とを備えるものがある。枠部材を設ける目的は、これに何らかの構造の位置決め部を設けて、該位置決め部を冷蔵庫内の凸部等に嵌合等させて載置棚を位置決めすることや、載置棚の見栄えを良くすること等である。これらの目的を達成するために、板部材の冷蔵庫前方の辺にのみ枠部材が設けられる場合がある（例えば特許文献１参照）。
【０００３】
一般に、板部材の冷蔵庫前方にのみ枠部材を設ける場合、該枠部材には、板部材の厚みと同等の幅の溝が形成される。そして、この溝に板部材を嵌めることによって、枠部材が板部材に取り付けられている。
【０００４】
また、ピン等の部材によって枠部材が板部材に固定されているものもある（例えば特許文献２参照）。
【先行技術文献】
【特許文献】
【０００５】
【特許文献１】特開２００８−８９２８０号公報
【特許文献２】実願昭５６−１３５９５４号（実公昭６１−２２２３４号）のマイクロフィルム
【発明の概要】
【発明が解決しようとする課題】
【０００６】
しかし、枠部材の溝の幅は、使用環境や製造上のばらつきにより理想的な幅よりも広くなる場合がある。その場合、枠部材の溝に板部材が嵌っているだけの構造では、枠部材が板部材から外れるおそれがある。
【０００７】
また、特許文献１に記載のような、ピン等の部材で固定する構造の載置棚は、製造に手間がかかる。
【０００８】
本発明が解決しようとする課題は、枠部材が板部材から外れることを防ぐことができ、製造に手間がかからない冷蔵庫を提供することである。
【課題を解決するための手段】
【０００９】
実施形態の冷蔵庫は、平板状の板部材と、前記板部材の少なくとも一辺に設けられた枠部材とを備える載置棚であって、前記板部材に形成された係合形状部と、前記枠部材に形成された係合形状部とが係合して前記枠部材が前記板部材に設けられている載置棚を備えることを特徴とする。
【図面の簡単な説明】
【００１０】
【図１】実施形態の冷蔵庫１の斜視図。
【図２】実施形態の冷蔵庫１の断面図。
【図３】載置棚２の斜視図。
【図４】載置棚２を構成する板部材２０、枠部材３０、及び補強部材４０の斜視図。
【図５】板部材２０の斜視図。
【図６】枠部材３０を板部材２０に係合させる前の板部材２０、枠部材３０、及び補強部材４０の側面図。
【図７】枠部材３０を板部材２０に係合させた状態の板部材２０、枠部材３０、及び補強部材４０の側面図。
【図８】板部材２０の係合形状部の変更例を示す斜視図。
【発明を実施するための形態】
【００１１】
実施形態の冷蔵庫１について図面に基づき説明する。
【００１２】
（１）冷蔵庫１の構造
実施形態の冷蔵庫１は、上部に冷凍空間１０、下部に冷蔵空間１１を備える（図１及び２）。蒸発器で発生した冷気が、ファンやダンパの作動によりこれらの空間に導入され、各空間が所定の温度に冷却される。冷蔵空間１１の下部には引き出し式の野菜室１２が設けられている。
【００１３】
冷蔵空間１１の内部には、複数の凸部１３が、左右の側壁１４から突出して設けられている。凸部１３は、冷蔵庫前方から後方にかけて伸びている。左右の側壁１４の、冷蔵空間１１の底面からの高さが等しい位置に、それぞれ凸部１３が設けられ、対となっている。冷蔵空間１１内には、複数対（図１及び２の冷蔵庫１の場合は６対）の凸部１３が設けられている。
【００１４】
これらの凸部１３のうちいくつかの上に、貯蔵物が置かれる載置棚２が載せられ支持されている。図１及び２の冷蔵庫１の場合、野菜室１２の直上の凸部１３と、その上方の２対の凸部１３に、載置棚２が載せられている。
【００１５】
（２）載置棚２の構造
載置棚２は、一定の厚みを有する平板状の板部材２０と、板部材２０の冷蔵庫前方の辺２４に設けられた枠部材３０を備える（図３及び４）。
【００１６】
板部材２０を図５に示す。板部材２０の材質は限定されないが、例えばガラスである。板部材２０は、平面視で略長方形である。板部材２０の冷蔵庫前方の角部は、残されていても良いし、面取り等の目的で、小さく切り取られていても良い。冷蔵庫後側の角部は、冷蔵庫前方の角部よりも大きく切り取られていることが望ましい。さらに、角部が切り取られた後の板部材２０の冷蔵庫後方の隅２２の形状が、冷蔵空間１１の冷蔵庫後方の隅の形状に一致していることが望ましい。板部材２０の左右の辺２５の冷蔵庫前方の部分には、それぞれ係合形状部としての切り欠き部２３が形成されている。切り欠き部２３は、板部材２０の上面から下面にかけて形成されている。切り欠き部２３は、板部材２０の内側から見てＵ字形をしている。つまり、板部材２０の左右の辺２５から左右の辺２５に直角な方向に切り込みが入れられ、切り込みの先端が角の無い略半円の形状となっている。
【００１７】
枠部材３０は、板部材２０の冷蔵庫前方の辺２４の一端側から他端側まで伸びる主枠部３１と、主枠部３１の両端側の部分から、板部材２０の左右の辺（板部材２０の冷蔵庫前方の辺２４と交わる辺）２５に沿って冷蔵庫後方に伸びる補助枠部３２とを備え、平面視でコの字形をしている（図３及び４）。主枠部３１のうち冷蔵庫後方の部分全体と補助枠部３２には、板部材２０の厚みと同等の幅の差込み溝３３が形成されている（図６及び７）。この差込み溝３３に、板部材２０の冷蔵庫前方の部分が嵌っている。
【００１８】
補助枠部３２の先端付近には、差込み溝３３内の上側の面から下方に向かって突出した、嵌合形状部としての係合凸部３４が形成されている。係合凸部３４の位置は、枠部材３０の差込み溝３３に板部材２０が嵌まった状態において、係合凸部３４が板部材２０の切り欠き部２３内に納まる位置である。また、切り欠き部２３を下方から覆うように、枠部材３０の差込み溝３３内の下側の面が、板部材２０に当接している。このように、主枠部３１及び補助枠部３２が板部材２０を上下から挟むとともに、係合凸部３４が切り欠き部２３に係合し、その係合部を補助枠部３２が上下から覆うことにより、枠部材３０が板部材２０に固定される。
【００１９】
枠部材３０は、樹脂等でできており、弾性変形可能である。そのため、板部材２０を枠部材３０の差込み溝３３に押し込もうとすると、始めは板部材２０の冷蔵庫前方の辺２４が、差込み溝３３内に突出している係合凸部３４に当たるが、その後係合凸部３４が板部材２０に押されて上方へ変位し、補助枠部３２が上方へ変形して、板部材２０が差込み溝３３の奥へ入っていく。そして、板部材２０が差込み溝３３の奥まで入ると、上方へ変形していた補助枠部３２の形状が元に戻り、係合凸部３４が板部材２０の切り欠き部２３に納まる。
【００２０】
補助枠部３２の差込み溝３３より下方の部分には、冷蔵空間１１内の凸部１３の先端部に嵌合する位置決め部３５が設けられている。位置決め部３５は、冷蔵庫後方及び側方に開口し、中が空間になっている。この空間が、凸部１３の先端部に嵌合可能な形状となっている。載置棚２を、凸部１３上をスライドさせて冷蔵庫後方へ押し込むと、凸部１３の冷蔵庫前方の先端部が、位置決め部３５の冷蔵庫後方の開口から位置決め部３５内へ入り、位置決め部３５と嵌合する。
【００２１】
枠部材３０の主枠部３１の表面には、主枠部３１の一端付近から他端付近まで伸びる（従って板部材２０の辺に沿って伸びる）補強部材４０が設けられている。本実施形態では、補強部材４０は、主枠部３１の冷蔵庫前方の部分を、主枠部３１の上面から下面にかけて覆うように設けられている（図６及び７）。枠部材３０は、ある程度の強度のある材料、例えばステンレス等の金属で出来ている。
【００２２】
（３）効果
実施形態の冷蔵庫１では、板部材２０に形成された切り欠き部２３に、枠部材３０に形成された係合凸部３４が嵌っているので、枠部材３０が板部材２０から外れることを防ぐことができる。また、板部材２０と枠部材３０の他に余計な部材を用いることなく、板部材２０に枠部材３０を設けることができるので、製造に手間がかからない。
【００２３】
実施形態の板部材２０の係合形状としての切り欠き部２３は、板部材２０の辺に形成されているため、係合形状が板部材２０の辺より内方に設けられる場合と異なり、枠部材３０で板部材２０の端部付近のみを覆えば良い。そのため、板部材２０の上面のうち枠部材３０に覆われていない部分の面積を広くすることができ、載置棚２に貯蔵物を多く置くことができる。
【００２４】
また、切り欠き部２３は、板部材２０の上面から下面に至るように形成されているため、板部材２０の片面のみに形成されている場合よりも、枠部材３０の係合形状部を上下方向に深く係合させることができる。そのため、枠部材３０が板部材２０にしっかりと固定される。
【００２５】
また、実施形態の冷蔵庫１では、板部材２０の辺に形成された係合形状としての切り欠き形状がＵ字形で、角が無いため、切り欠き形状の一ヶ所に応力が集中しその箇所が割れの起点となることを防ぐことができる。特に、板部材２０がガラスのような割れやすいもので出来ている場合、その効果が顕著に発揮される。また、板部材２０がガラス製の場合、辺を矩形にカットするよりＵ字形にカットする方が容易である。
【００２６】
また、上記の枠部材３０は弾性変形可能であるため、枠部材３０の差込み溝３３に板部材２０を差込むだけで、枠部材３０の補助枠部３２が変形し、係合凸部３４が板部材２０の切り欠き部２３に係合する。そのため容易に板部材２０に枠部材３０を設けることができる。
【００２７】
枠部材３０には板部材２０の辺に沿って伸びる補強部材４０が設けられているため、使用者が枠部材３０を引っ張った時に枠部材３０が引っ張った方向に撓んだり、板部材２０に重い物が載った時に板部材２０及び枠部材３０が下方に撓んだりすることを防ぐことができる。特に、上記の実施形態のように、枠部材３０が板部材２０の左右の２箇所のみにおいて係合している場合、使用者が枠部材３０の左右方向の中央付近を引っ張ると、枠部材３０の中央付近の部分が板部材２０から外れて撓むおそれがある。しかし、枠部材３０に補強部材４０が設けられていると、それを防ぐことができる。
【００２８】
枠部材３０は、主枠部３１の左右両端側の部分から冷蔵庫後方に伸びる補助枠部３２を備え、平面視で冷蔵庫後方に開口したコの字形をしている。そのため、左右の補助枠部３２の間の部分であって、主枠部３１より冷蔵庫後方の部分が、枠部材３０で覆われておらず、この部分に貯蔵物を載置することができる。また、補助枠部３２の冷蔵庫左右方向の幅が狭いため、補助枠部３２が弾性変形し易く、補助枠部３２に設けられた係合凸部３４が容易に板部材２０の切り欠き部２３に係合できる。
【００２９】
また、枠部材３０は、板部材２０を上下から挟み、係合凸部３４と切り欠き部２３との係合部を上下から覆うため、切り欠き部２３を起点に板部材２０が割れることを防ぐことができる。
【００３０】
上記の実施形態の場合、枠部材３０は、板部材２０の冷蔵庫前方の部分にのみ設けられているため、板部材２０の冷蔵庫後方の部分が軽い。そのため、冷蔵庫１の組立の作業者が、載置棚２を冷蔵空間１１内に取り付ける際、載置棚２の冷蔵庫前方の部分を持てば、載置棚２の冷蔵庫後方の部分を小さな力で容易に凸部１３上に位置合わせすることができる。
【００３１】
特に、上記の実施形態のように、冷蔵空間１１内の凸部１３に対する位置決め部３５が枠部材３０に設けられている場合、その枠部材３０が板部材２０の冷蔵庫前方の部分に設けられていれば、作業者が自分の手元で位置決め部３５を凸部１３に対して位置決めできる。そのため冷蔵庫１の組立の作業が容易である。
【００３２】
上記の実施形態の場合、位置決め部３５は、載置棚２の冷蔵庫前方の左右の部分に設けられ、冷蔵庫後方及び側壁１４方向に開口した構造である。そのため、冷蔵空間１１の左右の側壁１４から突出した凸部１３に対し、冷蔵庫１の前方開口から後方へ押し込むだけで嵌合させることができる。そのため冷蔵庫１の組立の作業が容易である。
【００３３】
実施形態の板部材２０では、冷蔵庫後側の角部が、冷蔵庫前方の角部よりも大きく切り取られているため、通常曲面となっている冷蔵空間１１の隅に板部材２０が当たるおそれが無い。
【００３４】
（４）変更例
枠部材は、上記の実施形態では板部材２０の冷蔵庫前方の辺２４に設けられているが、それ以外の辺に設けられていても良い。枠部材は、板部材のいずれか一辺にのみ設けられていても良いし、２以上の辺に設けられていても良い。例えば、枠部材は、板部材の冷蔵庫前方と後方の２つの辺に設けられていても良い。このようにすれば、載置棚の強度が高くなる。また、冷蔵庫前方と後方の両方の枠部材に何らかの構造の位置決め部が設けられていれば、載置棚が、その前方と後方とで冷蔵空間１１内に固定される。そのため、載置棚がより強く固定される。なお、冷蔵庫前方と後方に枠部材が設けられる場合、冷蔵庫後方の枠部材の冷蔵庫後方部分の形状は、冷蔵空間１１の冷蔵庫後方の隅の形状に一致していることが望ましい。
【００３５】
上記の実施形態では、係合凸部３４が切り欠き部２３に納まることにより、枠部材３０が板部材２０に設けられるが、枠部材が板部材に設けられるための構造はこれに限られない。枠部材と板部材のそれぞれに、係合のための何らかの形状の部分（係合形状部）が形成され、係合形状部同士が係合することによって、枠部材が板部材に設けられるようになっていれば良い。
【００３６】
ここで係合とは、枠部材の一部と板部材の一部が接触していることを言う。係合の望ましい形態としては、例えば、一方の係合形状部が他方の係合形状部に嵌る形態、一方の係合形状部が他方の係合形状部に挟まる形態、一方の係合形状部が他方の係合形状部に押えられる形態、係合形状部同士が引っ掛かる形態、等が挙げられる。また、係合形状部の望ましい形状としては、例えば、周囲の面に対して凸や凹となった形状や、爪やフックの形状等が挙げられ、また、これらと係合し得る様々な形状も挙げられる。
【００３７】
例えば、板部材の係合形状部は、板部材の辺より内側において、板部材の上面から下面にかけて貫通している孔５０（図８（ａ））や、板部材の片面のみに形成された凹部５２（図８（ｂ））等であっても良い。板部材の辺に係合形状部としての切り欠き部が形成される場合、該切り欠き部は、Ｕ字形（図８（ｃ））以外の形状の部分であっても良い。例えば矩形の切り欠き部５３（図８（ｄ））や半円形の切り欠き部５４（図８（ｅ））であっても良い。また、板部材の上面から下面に至る切り欠き部ではなく、片面側にのみ形成された切り欠き部５５（図８（ｆ））であっても良い。そして、枠部材の係合形状部は、これらの板部材の係合形状部に嵌ったり引っかかったりする形状であれば良い。
【００３８】
冷蔵空間１１内の載置棚が載せられる凸部の形状は、上記の実施形態の凸部１３形状に限定されない。また、該凸部と嵌合する部分である枠部材の位置決め部の形状は、上記の実施形態の位置決め部３５の形状に限定されない。また、載置棚が載せられる凸部と枠部材とは、嵌合以外の方法によって固定されても良い。例えば冷蔵空間１１内の凸部と載置棚の枠部材にボルト孔が形成され、これらがボルトで固定されても良い。
【００３９】
板部材に装飾が施される場合がある。例えば、板部材の上面に、ランダムに、又は規則的に、複数の凹部や凸部が形成される場合がある。例えば、ガラス製の板部材の上面に、ガラスをカットして形成された凹部が、縦及び横方向に複数の列をなすように並べて形成される場合がある。そのような場合、係合形状部としての切り欠き部は、凹部や凸部を避けて形成されることが望ましい。係合形状に集中した応力が、凹部や凸部に伝わり、板部材が割れることを防ぐためである。
【００４０】
また、板部材２０の上面に、塗料が塗られる場合がある。その場合、板部材２０の上面の冷蔵庫前方の辺２４付近には、塗料を塗ることができない部分がある。枠部材３０の主枠部３１は、この塗料を塗ることができない部分を完全に覆う幅を有することが望ましい。その場合、切り欠き部２３は、冷蔵庫前後方向の塗料が塗られている部分に形成される。
【００４１】
板部材２０の辺付近の部分には、板部材２０が割れた時に破片が飛散することを防ぐ飛散防止フィルムが貼られる場合がある。その場合、枠部材３０の主枠部３１は、飛散防止フィルムを完全に覆う幅を有することが望ましい。その場合、切り欠き部２３は、飛散防止フィルムの冷蔵庫後方の端部よりも冷蔵庫後方の部分に形成される。
【００４２】
以上の実施形態は例示であり、発明の範囲はこれに限定されない。以上の実施形態は、その他の様々な形態で実施されることが可能であり、発明の要旨を逸脱しない範囲で、種々の省略、置換、変更を行うことができる。以上の実施形態やその変形は、特許請求の範囲に記載された発明とその均等の範囲に含まれるものである。
【符号の説明】
【００４３】
１…冷蔵庫、１０…冷凍空間、１１…冷蔵空間、１２…野菜室、１３…凸部、１４…側壁、２…載置棚、２０…板部材、２２…板部材２０の冷蔵庫後方の隅、２３…切り欠き部、２４…板部材２０の冷蔵庫前方の辺、２５…板部材２０の左右の辺、３０…枠部材、３１…主枠部、３２…補助枠部、３３…差込み溝、３４…係合凸部、３５…位置決め部、４０…補強部材、５０…孔、５２…凹部、５３…矩形の切り欠き部、５４…半円形の切り欠き部、５５…板部材の片面側にのみ形成された切り欠き部
【図３】
2015158283.tif 000003
【図４】
2015158283.tif 000004
【図５】
2015158283.tif 000005
【図６】
2015158283.tif 000006
【図７】
2015158283.tif 000007
【図８】
2015158283.tif 000008
【図１】
2015158283.tif 000009
【図２】
2015158283.tif 000010